(57)【要約】【課題】消費電力を抑制した省電力の無線リモートスイッチ、この無線リモートスイッチを採用した住宅設備操作システム及びシステムリモコンユニットを提供すること。【解決手段】無線リモートスイッチ２は、所定の周波数の搬送波信号に操作信号を重畳して送信する無線送信回路２１と、操作者によるスイッチ操作を取り込むスイッチ手段２２と、操作信号を生成し、無線送信回路２１に入力する操作信号生成回路２３と、操作信号生成回路の動作クロックであるクロック信号を生成するクロック信号生成回路２４と、電力を供給する電源供給回路２５とを備えている。無線送信回路２１は、クロック信号生成回路２４が生成したクロック信号に基づく搬送波信号を利用する。電源供給回路２５は、スイッチ操作が継続する期間に属する通電期間にのみ、無線送信回路２１、操作信号生成回路２３及びクロック信号生成回路２４に電力を供給する。【選択図】図１
2008011279.tif 000002
【特許請求の範囲】
【請求項１】
固有のＩＤデータを含む操作信号を電波を介して送信する無線リモートスイッチであって、
所定の周波数の搬送波信号に上記操作信号を重畳して送信する無線送信回路と、
操作者によるスイッチ操作を取り込むスイッチ手段と、
上記操作信号を生成し、上記無線送信回路に入力する操作信号生成回路と、
上記操作信号生成回路の動作クロックであるクロック信号を生成するクロック信号生成回路と、
上記無線送信回路、上記操作信号生成回路及び上記クロック信号生成回路の動作に要する電力を供給する電源供給回路とを備えており、
上記無線送信回路の上記搬送波信号は、上記クロック信号に基づいて生成した信号であり、
上記電源供給回路は、上記スイッチ操作が継続する期間に属する通電期間を設定し、該通電期間にのみ、上記無線送信回路、上記操作信号生成回路及び上記クロック信号生成回路に電力を供給するように構成してあるとを特徴とする無線リモートスイッチ。
【請求項２】
請求項１において、上記無線送信回路、上記操作信号生成回路及び上記クロック信号生成回路のうちの少なくともいずれかの回路は、低電位状態から高電位状態への印加電圧の変動に応じて当該いずれかの回路を動作可能な状態に設定するためのリセット端子を有し、
該リセット端子に対して、上記スイッチ操作の終了に応じて上記リセット端子の印加電圧を低電位状態に移行させるように構成した放電手段を電気的に接続してあることを特徴とする無線リモートスイッチ。
【請求項３】
請求項１又は２において、上記電源供給回路は、発電手段を備えていることを特徴とする無線リモートスイッチ。
【請求項４】
請求項３において、上記発電手段は、光を電力に変換する太陽電池であることを特徴とする無線リモートスイッチ。
【請求項５】
請求項４において、上記太陽電池は、法線方向が異なる少なくとも２以上の複数の略平面状の受光面を備えていることを特徴とする無線リモートスイッチ。
【請求項６】
請求項３〜５のいずれか１項において、上記電源供給回路は、上記発電手段が発電した電力を蓄える蓄電手段を備えていることを特徴とする無線リモートスイッチ。
【請求項７】
請求項１〜６のいずれか１項において、上記クロック信号生成回路は、リング発振回路であることを特徴とする無線リモートスイッチ。
【請求項８】
請求項１〜７のいずれか１項において、上記スイッチ手段は、非接触により上記スイッチ操作を検知する赤外線センサであることを特徴とする無線リモートスイッチ。
【請求項９】
固有のＩＤデータを含む操作信号を電波を介して送信する無線リモートスイッチと、
上記操作信号を電波を介して受信する受信手段と、
該受信手段が受信した上記操作信号に基づいて制御信号を生成する制御手段と、
上記制御信号に応じて動作する住宅設備機器とを含む住宅設備操作システムであって、
上記無線リモートスイッチとして請求項１〜８のいずれか１項に記載の無線リモートスイッチを備えていることを特徴とする住宅設備操作システム。
【請求項１０】
請求項９において、上記住宅設備機器は、上記制御信号に応じて施錠あるいは開錠を行う電子ロックユニットであることを特徴とする住宅設備操作システム。
【請求項１１】
請求項９において、上記住宅設備機器は、上記制御信号に応じて開閉するドア扉、あるいは収納物を出し入れ可能な使用状態と収納状態とを上記制御信号に応じて切り替える収納キャビネットであることを特徴とする住宅設備操作システム。
【請求項１２】
請求項９において、上記住宅設備機器は、吐水口を設けた水栓ヘッドを介した吐水量を上記制御信号に応じて制御する水栓装置であることを特徴とする住宅設備操作システム。
【請求項１３】
請求項１２において、上記無線リモートスイッチは、上記水栓ヘッドに配設してあることを特徴とする住宅設備操作システム。
【請求項１４】
操作面に操作スイッチを複数設けたシステムリモコンユニットであって、
上記各操作スイッチに対応して配設した請求項１〜８のいずれか１項に記載の無線リモートスイッチと、
該各無線リモートスイッチを保持する筐体とを備えており、
上記各操作スイッチは、上記無線リモートスイッチのスイッチ手段であることを特徴とするシステムリモコンユニット。
【請求項１５】
請求項１４において、キッチン、洗面所、トイレあるいは浴室に適用するものであることを特徴とするシステムリモコンユニット。
【発明の詳細な説明】
【技術分野】
【０００１】
本発明は、家電製品や住宅設備機器を遠隔操作するためのリモコン、及びリモコンを含む遠隔操作システムに関する。
【背景技術】
【０００２】
従来より、例えば、家電製品や住宅設備機器等を遠隔操作するための遠隔操作手段がある。このような遠隔操作手段によれば、操作する者の操作自由度を高め、利便性を格段に向上することができる。例えば、テレビの遠隔操作手段（いわゆるリモコン。）によれば、テレビの設置場所まで移動しなくてもチャンネル操作が可能になる等、操作する場所の自由度を格段に向上できる。また、例えば、温水洗浄便座等の住宅設備機器を操作する遠隔操作手段（操作パネル等。）をトイレの壁面等に配置すれば、温水洗浄便座を操作する際、一層、楽な姿勢で操作できるようになる。
【０００３】
上記のような遠隔操作手段としては、例えば、風呂の給湯システム等の住宅設備機器を操作するための有線のものがある。有線の遠隔操作手段では、例えば、操作対象である住宅設備機器の制御信号等を送信するための信号線等の電線を接続する必要がある。一方、例えば、無線で操作信号を送信する無線の遠隔操作手段によれば、信号線等の電線を接続する必要がない。それ故、無線の遠隔操作手段は、使用者が操作する場所を自由に選択でき、操作自由度が一層高くなっている（例えば、特許文献１参照。）。
【０００４】
しかしながら、上記従来の無線の遠隔操作手段では、次のような問題がある。すなわち、電源電池の定期的な交換等のメンテナンスに手間がかかるおそれがあるという問題がある。
【０００５】
【特許文献１】特開２００４−２８５７３３号公報
【発明の開示】
【発明が解決しようとする課題】
【０００６】
本発明は、上記従来の問題点に鑑みてなされたものであり、消費電力を抑制することにより、電源電池の交換等のメンテナンスの手間を軽減した無線リモートスイッチ、この無線リモートスイッチを採用した住宅設備操作システム及びシステムリモコンユニットを提供しようとするものである。
【課題を解決するための手段】
【０００７】
第１の発明は、固有のＩＤデータを含む操作信号を電波を介して送信する無線リモートスイッチであって、
所定の周波数の搬送波信号に上記操作信号を重畳して送信する無線送信回路と、
操作者によるスイッチ操作を取り込むスイッチ手段と、
上記操作信号を生成し、上記無線送信回路に入力する操作信号生成回路と、
上記操作信号生成回路の動作クロックであるクロック信号を生成するクロック信号生成回路と、
上記無線送信回路、上記操作信号生成回路及び上記クロック信号生成回路の動作に要する電力を供給する電源供給回路とを備えており、
上記無線送信回路の上記搬送波信号は、上記クロック信号に基づいて生成した信号であり、
上記電源供給回路は、上記スイッチ操作が継続する期間に属する通電期間を設定し、該通電期間にのみ、上記無線送信回路、上記操作信号生成回路及び上記クロック信号生成回路に電力を供給するように構成してあるとを特徴とする無線リモートスイッチにある（請求項１）。
【０００８】
上記第１の発明の無線リモートスイッチの上記無線送信回路は、上記操作信号生成回路の動作クロックである上記クロック信号に基づく上記搬送波信号を利用する回路である。すなわち、上記無線送信回路は、上記クロック信号を信号処理等して得られた上記搬送波信号を利用するように構成した回路である。そのため、上記無線リモートスイッチでは、上記操作信号生成回路と上記無線送信回路との間で、基準となる信号を生成するための発振回路として上記クロック信号生成回路を共用することができる。
【０００９】
このように上記クロック信号生成回路を発振回路として共用する上記無線リモートスイッチでは、上記クロック信号生成回路の立ち上がりに同期して、上記操作信号生成回路及び上記無線送信回路が、ほぼ同時に動作可能な状態となり得る。上記無線リモートスイッチでは、上記操作信号生成回路及び上記無線送信回路の立ち上がりが同期しているため、立ち上がりが遅い方のいずれかの回路を待機するためのウェイト等を別途、設ける必要がない。
【００１０】
上記無線リモートスイッチでは、上記スイッチ手段の操作に応じて上記クロック信号生成回路等に電力を供給すれば、上記クロック信号生成回路の立ち上がりに要する短時間の間に、上記無線送信回路及び上記操作信号生成回路が動作可能な状態となり得る。それ故、上記無線リモートスイッチによれば、上記クロック信号生成回路の起動から上記操作信号の送信完了までの一連の処理を、上記スイッチ操作の継続期間に属する上記通電期間内のごく短時間に十分実施し得るようになる。
【００１１】
上記第１の発明の無線リモートスイッチによれば、上記電源供給回路から上記クロック信号生成回路等への電力供給を、上記スイッチ操作の継続期間に属する上記通電期間のみに限定することで消費電力を抑制できる。そして、消費電力を抑制した上記無線リモートスイッチによれば、上記電源供給回路の負担を軽減できる。例えば、電源電池を含む上記電源供給回路を採用した場合等では、電源電池の交換頻度を効果的に低減し得る。
【００１２】
以上のように、上記第１の発明の無線リモートスイッチは、消費電力を抑えたことによりメンテナンスの手間を軽減した優れた特性のものである。
【００１３】
第２の発明は、固有のＩＤデータを含む操作信号を電波を介して送信する無線リモートスイッチと、
上記操作信号を電波を介して受信する受信手段と、
該受信手段が受信した上記操作信号に基づいて制御信号を生成する制御手段と、
上記制御信号に応じて動作する住宅設備機器とを含む住宅設備操作システムであって、
上記無線リモートスイッチとして上記第１の発明の無線リモートスイッチを備えていることを特徴とする住宅設備操作システムにある（請求項９）。
【００１４】
上記第２の発明の住宅設備操作システムは、上記操作信号を送信する上記無線リモートスイッチとして上記第１の発明の無線リモートスイッチを備えたものである。この住宅設備操作システムでは、上記受信手段が受信した上記操作信号を基に、上記制御手段が上記制御信号を生成する。そして、上記住宅設備操作システムの上記住宅設備機器は、上記制御信号に応じて動作する。
【００１５】
ここで、上記操作信号を送信する上記無線リモートスイッチは、上記第１の発明のものである。それ故、上記住宅設備操作システムにおいては、上記無線リモートスイッチの消費電力を抑制できる。この無線リモートスイッチによれば、例えば、電源電池の消耗度合いを抑制でき、その交換頻度を抑制し得る。
【００１６】
以上のように、上記第２の発明の住宅設備操作システムは、上記第１の発明の無線リモートスイッチを採用したことによりメンテナンスの手間を軽減した優れた特性を備えたものである。
【００１７】
第３の発明は、操作面に操作スイッチを複数設けたシステムリモコンユニットであって、
上記各操作スイッチに対応して配設した請求項１〜７のいずれか１項に記載の無線リモートスイッチと、
該各無線リモートスイッチを保持する筐体とを備えており、
上記各操作スイッチは、上記無線リモートスイッチのスイッチ手段であることを特徴とするシステムリモコンユニットにある（請求項１４）。
【００１８】
上記第３の発明のシステムリモコンユニットは、上記各操作スイッチに対応する上記無線リモートスイッチを複数、上記筐体に保持したものである。このシステムリモコンユニットによれば、上記筐体に保持する上記無線リモートスイッチの組み合わせに応じて、様々な機能を備えた遠隔操作手段を実現できる。ここで、上記システムリモコンユニットの上記無線リモートスイッチは、上記第１の発明のものである。それ故、上記システムリモコンユニットでは、上記各無線リモートスイッチの消費電力をそれぞれ低減でき、メンテナンスの手間を軽減することができる。
【００１９】
以上のように、上記第３の発明のシステムリモコンユニットは、消費電力の低い上記無線リモートスイッチを採用したことにより、メンテナンスの手間を軽減した優れた特性のものである。
【発明を実施するための最良の形態】
【００２０】
上記第１〜上記第３の発明において、上記クロック信号に基づいて上記搬送波信号を生成するとは、ソフトウェアあるいはハードウェアによる信号処理等により、所定の周波数の上記クロック信号を元にして異なる周波数（高い周波数）の上記搬送波信号を生成する旨を意味している。
【００２１】
また、上記スイッチ操作が継続する期間とは、使用者等が上記スイッチ手段に対する操作行為を継続的に実施している期間を意味している。そして、上記スイッチ操作の継続期間に属する上記通電期間としては、例えば、上記スイッチ操作の開始タイミングを始期に設定すると共に、上記スイッチ操作の継続期間の任意の時点を終期に設定することが良い。上記通電期間の終期としては、例えば、上記操作信号を所定回数、送信完了した時点を設定したり、上記スイッチ操作の継続期間の終期を設定することができる。なお、当然ながら、上記スイッチ操作の継続期間の任意の時点に、上記通電期間の始期を設定することもできる。
【００２２】
また、上記無線送信回路、上記操作信号生成回路及び上記クロック信号生成回路のうちの少なくともいずれかの回路は、低電位状態から高電位状態への印加電圧の変動に応じて当該いずれかの回路を動作可能な状態に設定するためのリセット端子を有し、
該リセット端子に対して、上記スイッチ操作の終了に応じて上記リセット端子の印加電圧を低電位状態に移行させるように構成した放電手段を電気的に接続してあることが好ましい（請求項２）。
【００２３】
上記のような、いわゆるパワーオンリセットのための上記リセット端子を設けた場合には、該リセット端子に対する上記印加電圧の立ち上がりに応じて上記無線送信回路、上記操作信号生成回路及び上記クロック信号生成回路のうちの少なくともいずれかの回路を初期化でき、動作可能な状態を確実性高く設定し得る。一方、上記リセット端子を設けた場合、上記印加電圧が高い上記高電位状態から再び上記低電位状態に戻った後でなければ、上記無線送信回路、上記操作信号生成回路及び上記クロック信号生成回路のうちの少なくともいずれかの動作を開始させることができないおそれを生じる。
【００２４】
そこで、上記のごとく上記スイッチ操作の終了に応じて上記リセット端子の印加電圧を低電位状態に移行させるように構成した上記放電手段を上記リセット端子に接続した場合には、上記スイッチ操作の終了に応じて上記印加電圧の低い上記低電位状態を瞬時に形成し得る。それ故、上記スイッチ操作を素早く繰り返すような使用状況において、そのスイッチ操作に追従して上記リセット端子を設けた回路を繰り返し動作させることができる。
【００２５】
また、上記電源供給回路は、発電手段を備えていることが好ましい（請求項３）。
この場合には、例えば、上記電源供給回路から電源電池等を省略することができる。定期的な交換を必要とする電源電池等を省略できれば、電源電池の消耗等により使用不能に至るおそれを回避できると共に、電池交換等のメンテナンスの手間を省くことができるようになる。さらに、電池交換が不要になれば、電池交換用の交換蓋等を設けることが不要になる。電池交換蓋が不要になれば、構造を簡単にでき、密閉構造の実現が容易となる。
【００２６】
また、上記発電手段は、光を電力に変換する太陽電池を含んでいることが好ましい（請求項４）。
この場合には、太陽光や照明光を利用し得る環境であれば、上記無線リモートスイッチを作動させることができる。
なお、上記発電手段としては、上記太陽電池のほか、温度差を利用して発電する熱電素子（ペルチェ素子）を含むものを採用することもできる。さらに、例えば、上記無線リモートスイッチを水栓装置等に適用する場合には、水流を利用して発電する発電手段を採用することも可能である。
【００２７】
また、上記太陽電池は、法線方向が異なる少なくとも２以上の複数の略平面状の受光面を備えていることが好ましい（請求項５）。
ここで、上記受光面についての上記法線方向とは、上記受光面に対して直交する方向、すなわち上記受光面の向きを意味している。そして、上記のように法線方向が異なる少なくとも２以上の上記受光面を備えた場合には、当該複数の受光面を介して、様々な角度方向から照射される光を効率良く電力に変換し得るようになる。なお、上記略平面状の受光面としては、略平板状の太陽電池の表面のほか、曲面状を呈する上記太陽電池の局所的な表面であっても良い。すなわち、上記太陽電池としては、向き（法線方向）が異なる複数の略平板状の太陽電池を採用し得るほか、上記受光面が曲面状を呈する太陽電池を採用することもできる。
【００２８】
また、上記電源供給回路は、上記発電手段が発電した電力を蓄える蓄電手段を備えていることが好ましい（請求項６）。
この場合には、上記無線リモートスイッチに動作に要する電力の大きさに対して、上記発電手段に要求される発電能力を低く抑えることができる。上記発電手段に必要な発電能力を抑制できれば、該発電手段を小型化、低コスト化でき、上記無線リモートスイッチ全体の小型化、低コスト化が可能になる。
なお、上記蓄電手段としては、キャパシタ、あるいは２次電池等を含むものを採用することができる。特に、上記キャパシタを含む上記蓄電手段によれば、その初期特性を長期間の使用期間に渡って維持し得るため、メンテナンスの手間をさらに軽減できる。
【００２９】
また、上記クロック信号生成回路は、リング発振回路であることが好ましい（請求項７）。
上記リング発振回路とは、トランジスタなどの半導体増幅器の遅延（位相遅れ）を利用した発振回路である。このリング発振回路は、例えば、水晶発振回路等と比較して電力供給後の立ち上がりが極めて迅速である。上記クロック信号生成回路として上記リング発振回路を採用すれば、上記スイッチ手段の操作から上記操作信号の送信を完了するまでの時間を短縮でき、上記通電時間をさらに短く設定し得る。それ故、上記クロック信号生成回路として上記リング発振回路を採用した場合には、上記無線リモートスイッチの消費電力を一層、抑制できる。
【００３０】
なお、リング発振回路を内蔵したマイコンを上記操作信号生成回路として採用することも良い。この場合には、マイコン内蔵の上記リング発振回路を上記クロック信号生成回路として利用できる。さらに、この場合には、マイコンに組み込みしたソフトウェア等の実行により、上記クロック信号に基づいて上記搬送波信号あるいは、搬送波信号の生成に適した中間信号を生成し得る可能性がある。
【００３１】
また、上記スイッチ手段は、非接触により上記スイッチ操作を検知する赤外線センサであることが好ましい（請求項８）。
この場合には、操作する者が手をかざす等、非接触の操作により上記無線リモートスイッチを動作させることができる。なお、上記赤外線センサとしては、量子型の赤外線センサや、光電子型の赤外線センサや、焦電型等の熱型の赤外線センサ等、様々な態様のものを採用し得る。
【００３２】
特に、上記量子型の赤外線センサであれば、受光した赤外線の絶対量に応じて起電力を発生し得る。この量子型の赤外線センサは、赤外線の絶対量を検出し得る点で、例えば、赤外線の変化量を検出する焦電型の赤外線センサ等とは異なる特徴を有している。このような量子型の赤外線センサを上記スイッチ手段として採用すれば、操作者による操作を一層、確実性高く取り込みできるようになる。
【００３３】
上記第２の発明における上記住宅設備機器は、上記制御信号に応じて施錠あるいは開錠を行う電子ロックユニットであることが好ましい（請求項１０）。
この場合には、上記住宅設備機器である上記電子ロックユニットを遠隔操作するための上記無線リモートスイッチの消費電力を低減し得る。それ故、例えば、電源電池等の消耗度合いを抑制でき、これにより、上記電子ロックユニットの開錠あるいは施錠ができないというトラブルが発生するおそれを抑制できる。
【００３４】
さらに、上記発電手段を備えた上記無線リモートスイッチによれば、電源電池等の消耗により開錠あるいは施錠ができないといったトラブルが発生するおそれをほぼ解消し得る。さらに、例えば、電池交換が不要であることを活用すれば、密閉構造の実現が比較的容易となる。この場合には、例えば、水中に落下させても壊れないような耐環境性を高めた無線リモートスイッチを実現し得る。耐環境性を高く確保した無線リモートスイッチによれば、例えば、浴室やキッチンや洗面台等の水回りへの適用が容易となる。
【００３５】
特に、上記無線リモートスイッチの上記電源供給回路として発電手段及び電力を蓄える蓄電手段を設けた場合には、例えば、上記電子ロックユニットである上記住宅設備機器への適用が特に有効となる。一般的に、上記電子ロックユニットでは、施錠あるいは開錠の操作から次の操作までの操作間隔が比較的長くなる傾向にある。それ故、上記電子ロックユニットである上記住宅設備機器の場合には、上記の操作間隔に当たる非使用期間において、上記無線リモートスイッチの動作に必要な電力を上記蓄電手段を利用して充分に蓄電し得る。
【００３６】
また、上記住宅設備機器は、上記制御信号に応じて開閉するドア扉、あるいは収納物を取り出し可能な使用状態と収納状態とを上記制御信号に応じて切り替える収納キャビネットであることが好ましい（請求項１１）。
また、上記住宅設備機器は、給水口を設けた水栓ヘッドを介した吐水量を上記制御信号に応じて制御する水栓装置であることが好ましい（請求項１２）。
【００３７】
ここで、上記制御信号に応じて開閉する上記ドア扉とは、上記制御信号に応じて自律的に開閉し得る、いわゆる自動開閉ドアである。また、上記制御信号に応じて収納物を取り出し可能な使用状態と収納状態とを切り替える上記収納キャビネットとしては、例えば、電動により昇降する機能を備えた吊戸棚や、電動により進退する機能を備えた引き出し等がある。また、上記吐水量を制御することの意味は、吐水状態における上記吐水量を調整することだけではない。上記吐水量を制御する旨は、例えば、吐水量ゼロと低吐水量と高吐水量とを切り換えることや、吐水量ゼロである非吐水状態（オフ）と吐水状態（オン）とを切り換えること等を含む広い概念を意味している。
【００３８】
そして、上記のような場合には、上記ドア扉や上記収納キャビネットあるいは上記水栓ヘッドに対応して個別に上記無線リモートスイッチを複数、設けた際にも、メンテナンスの手間が問題となるおそれが少ない。消費電力を抑えた上記無線リモートスイッチでは、個々の無線リモートスイッチに必要なメンテナンスの手間が軽減されているからである。さらに、上記発電手段を備えた上記無線リモートスイッチであれば、上記電池交換等のメンテナンスの手間をほぼ解消し得る。そのため、複数の上記無線リモートスイッチを個別に配設した場合においても、メンテナンスの負担を完全に近く解消し得る。
【００３９】
また、上記無線リモートスイッチは、上記水栓ヘッドに配設してあることも良い（請求項１３）。
この場合には、上記水栓ヘッドに上記無線リモートスイッチを配置することで、上記水栓装置の操作性を格段に向上し得る。特に、上記発電手段を備えた上記無線リモートスイッチであれば、密閉構造を採用することで防水性の確保が容易である。
【００４０】
上記第３の発明における上記システムリモコンユニットは、キッチン、洗面所、トイレあるいは浴室に適用するものであることが好ましい（請求項１５）。
この場合には、上記固有のＩＤデータが異なる上記無線リモートスイッチを適宜、組み合わせて上記筐体に保持させることで、上記キッチン、上記洗面所、上記トイレあるいは上記浴室に適した上記システムリモコンユニットを実現できる。
【実施例】
【００４１】
（実施例１）
本例は、無線リモートスイッチ２による遠隔操作が可能な住宅設備システム１に関する例である。この内容について、図１〜図７を用いて説明する。
本例の住宅設備システム１（本例では、給水制御システム。以下、給水制御システム１という。）は、図１〜図３に示すごとく、固有のＩＤデータを含む操作信号を電波を介して送信する無線リモートスイッチ２と、操作信号を電波を介して受信する受信手段３１と、受信手段３１が受信した操作信号に基づいて制御信号を生成する制御手段３２と、制御信号に応じて動作する住宅設備機器１０（本例では、水栓装置。以下、水栓装置１０という。）とを含むシステムである。
【００４２】
上記無線リモートスイッチ２は、図１に示すごとく、所定の周波数の搬送波信号に上記操作信号を重畳して送信する無線送信回路２１と、操作者によるスイッチ操作を取り込むスイッチ手段２２と、操作信号を生成し、無線送信回路２１に入力する操作信号生成回路２３と、操作信号生成回路２３の動作クロックであるクロック信号を生成するクロック信号生成回路２４と、上記無線送信回路２１、上記操作信号生成回路２３及び上記クロック信号生成回路２４の動作に要する電力を供給する電源供給回路２５とを備えている。
ここで、上記無線送信回路２１の搬送波信号は、クロック信号生成回路２４が生成したクロック信号に基づいて生成した信号である。
上記電源供給回路２５は、上記スイッチ操作が継続する期間に属する通電期間を設定し、該通電期間にのみ、無線送信回路２１、操作信号生成回路２３及びクロック信号生成回路２４に電力を供給するように構成してある。
以下、この内容について詳しく説明する。
【００４３】
本例の水栓装置１０は、図２及び図３に示すごとく、凹状のボウル部１２１を設けたシンク１２と、吐水口１１０を有する水栓ヘッド１１と、使用者が給水止水の切替操作を行うレバー１５と、水栓ヘッド１１に水を供給するための給水管１３と、給水管１３に設けた弁装置１４と、シンク１２の底面に設けた排水口（図示略）に接続した排水管１９とを備えたものである。さらに、水栓装置１０は、弁装置１４を制御する制御手段３２と、無線リモートスイッチ２の操作信号を受信する受信手段３１とを備えている。
【００４４】
シンク１２は、上面をなすカウンター面１２０と、該カウンター面１２０に対して凹む上記ボウル部１２１と、利用者に対面するウォール部１２２とを有する。ウォール部１２２は、ボウル部１２１の内壁面がカウンター面１２０を越えて鉛直方向上方に延設された部分である。水栓ヘッド１１及びレバー１５は、ウォール部１２１から突出するよう、隣り合わせて立設されている。
【００４５】
排水管１９は、図２に示すごとく、シンク１２の下側に配設されている。排水管１９の上流側（シンク１２側）の端部は上記排水口に接続され、下流側の端部は図示しない下水管に接続されている。
給水管１３は、住宅に引き込みされた図示しない水道管から分岐した略円管状のパイプである。この給水管１３は、シンク１２の下側からウォール部１２２の裏側に回り込むように配設されている。給水管１３の下流側（シンク１２側）の端部は、水栓ヘッド１１における吐水口１１０とは反対側の端部、すなわちウォール部１２２の裏側に位置する端部に接続してある。給水管１３の経路中には、上記弁装置１４と、レバー１５の手動操作に応じて経路を開閉する図示しない弁装置とを設けてある。
【００４６】
本例では、上記弁装置１４として電磁弁（以下、電磁弁１４という。）を採用している。電磁弁１４は、図２に示すごとく、上流側（インフラ側）に位置する給水管１３０を接続する流入口１４１と、下流側（シンク１２側）に位置する給水管１３１を接続する流出口１４２と、流入口１４１と流出口１４２との間の流路を開閉する弁本体１４０と、弁本体１４０が収容するプランジャ（図示略）を駆動するソレノイド１４３（図４参照。）とを有している。本例の電磁弁１４では、流路を閉塞するように上記プランジャに付勢力が作用している。この電磁弁１４では、ソレノイド１４３への通電によりプランジャが後退して流路が開放される。一方、非通電時には、上記の付勢力によりプランジャが前進し、流路が閉塞される。
【００４７】
水栓ヘッド１１は、図２及び図３に示すごとく、シンク１２のウォール部１２２に取り付けるための台座部１１４と、給水管１３に連通する給水パイプ（図示略）を貫通配置した胴部１１１と、給水管１３から供給された水を吐出する吐水口１１０と、吐水状態と止水状態との切替操作を行うための無線リモートスイッチ２と、胴部１１１及び無線リモートスイッチ２等を収容するための略中空筒状の筐体１１５を有している。水栓ヘッド１１は、台座部１１４の内部に、図示しない延長ホースを引き出し可能な状態で収容している。本例の水栓ヘッド１１は、この延長ホースを引き出すことによりシャワーヘッドのごとく使用し得る。
【００４８】
胴部１１１は、図３に示すごとく、吐水口１１０側の先端面に、無線リモートスイッチ２を保持している。筐体１１５は、無線リモートスイッチ２側の先端面に、上記スイッチ手段２２をなす操作スイッチ２２１を貫通配置するための貫通孔１１６を穿孔してなる。さらに、筐体１１５の表面のうち、鉛直方向上方に面する上面の一部は、透明樹脂プレートにより形成してある。この透明樹脂プレートは、その内側に、無線リモートスイッチ２の太陽電池２５０が位置するように形成してある。
【００４９】
上記無線リモートスイッチ２は、図１及び図３に示すごとく、図示しないＲＯＭ、ＲＡＭを内蔵するマイコン２７と、上記無線送信回路２１をなすＲＦ送信ＩＣ２８と、太陽電池２５０を発電手段として備えた電源供給回路２５と、上記スイッチ手段２２をなす押込操作型の操作スイッチ２２１とを有している。
【００５０】
マイコン２７とＲＦ送信ＩＣ２８とを電気的に接続する経路としては、図１に示すごとく、デジタルデータを１ビットずつ伝送するデータ信号線２０１と、マイコン２７が生成した外部クロック信号をＲＦ送信ＩＣ２８に入力するクロック信号線２０２とがある。マイコン２７及びＲＦ送信ＩＣ２８と、電力供給回路２５とは、電源ラインをなす電力供給経路２５５を介して接続してある。
【００５１】
操作スイッチ２２１は、図１〜図３に示すごとく、電源供給回路２５とＲＦ送信ＩＣ２８及びマイコン２７とを接続する電力供給経路２５５を断続するスイッチである。操作スイッチ２２１は、押し込み状態を保持するラッチ機構等を具備しない単純な押込操作型のものである。この操作スイッチ２２１は、押し込み操作（スイッチ操作）されている間のみ、上記電力供給経路２５５を連通させる。なお、人間の反応速度を考慮すれば、１回の操作において、最短でも約５０ｍ秒以上の押し込み状態が持続されると期待し得る。
【００５２】
一方、本例の無線リモートスイッチ２では、図１に示すごとく、マイコン２７の立ち上がりから操作信号を所定回数（本例では５回。）、送信するまでに要する時間がおよそ２０ミリ秒である。それ故、無線リモートスイッチ２によれば、使用者が操作スイッチ２２１を軽く押し込み操作した短時間に属する通電期間内に、十分な余裕をもって一連の処理を完了し得る。なお、本例では、通電期間として、操作信号を所定回数、送信するのに要する時間を設定した。これに代えて、押し込み操作の継続期間を通電期間に設定することもできる。
【００５３】
マイコン２７は、図１に示すごとく、ソフトウェアプログラムに沿って各種の演算を実行するＣＰＵ（図示しない中央演算処理回路）と、メモリ手段としてのＲＯＭ、ＲＡＭ（図示略）と、周波数約２５ＭＨzのクロック信号を生成するクロック信号生成回路２４とを一体化して構成した１チップマイコンである。
【００５４】
マイコン２７は、上記データ信号線２０１を接続するデータ出力端子２７１と、上記クロック信号線２０２を接続する外部クロック出力端子２７２と、上記電力供給経路２５５を接続する電源端子２７７とを有している。ＲＯＭは、無線リモートスイッチ２を一意に（ユニークに）特定する８ビットのＩＤデータと、各種の演算処理を規定したソフトウェアプログラムとを記憶している。ＲＡＭは、ＲＯＭから読み出したソフトウェアプログラム等を実行するためのワークエリア等として機能する。
【００５５】
マイコン２７が備えるクロック信号生成回路２４は、図１に示すごとく、リング発振回路よりなる。ここで、リング発振回路とは、トランジスタなどの半導体増幅器の遅延（位相遅れ）を利用した発振回路である。このリング発振回路は、例えば、水晶発振回路等に比べて立ち上がりに要する時間が極めて短時間であるという利点がある。それ故、上記操作スイッチ２２１が押し込み操作（スイッチ操作）される短時間の間に、マイコン２７の起動から操作信号を送信するまでの全処理を完結させることが可能となる。なお、リング発振回路と同様、立ち上がり時間が短い発振回路としては、ＣＲ回路等がある。リング発振回路に代えて、これらの回路を採用することも可能である。
【００５６】
マイコン２７の図示しないＣＰＵは、図１に示すごとく、ソフトウェアプログラムの実行により上記操作信号生成回路２３としての機能を実現する。操作信号生成回路２３は、上記のごとく、ＲＯＭから読み出したＩＤデータを含むデジタルの操作信号を生成する回路である。本例では、８ビットのＩＤデータそのものを操作信号として設定した。操作信号生成回路２３としてのマイコン２７は、上記データ信号線２０１を介してデジタル８ビットの操作信号を１ビットずつ出力する。
【００５７】
さらに、本例のＣＰＵは、図１に示すごとく、ソフトウェアプログラムの実行により上記クロック信号を基準とした所望の周波数の外部クロック信号を生成する。本例では、マイコン２７の動作クロックである上記クロック信号を基にして９８４４ＫＨｚの外部クロック信号をソフトウェアプログラムの実行により生成し、上記外部クロック出力端子２７２に出力している。この外部クロック信号は、搬送波信号を生成するための中間信号をなす。
【００５８】
無線送信回路２１をなすＲＦ送信ＩＣ２８は、図１に示すごとく、マイコン２７から取り込みしたデジタルの操作信号を変調する変調回路２１１と、外部クロック端子２８２を介して取り込みした外部クロック信号を分周して搬送波信号を生成するＰＬＬ回路２１３と、変調回路２１１による変調信号をアンテナ２１８を介して送信する送信回路２１２とを有している。ＲＦ送信ＩＣ２８は、外部端子として、上記データ信号線２０１を接続するデータ入力端子２８１と、上記クロック信号線２０２を接続する外部クロック端子２８２とを有している。
【００５９】
変調回路２１１は、操作信号生成回路２３から受信した操作信号を、振幅変調により搬送波信号に重畳する回路である。ＰＬＬ回路２１３は、外部クロック端子２８２を介して取り込みした周波数９８４４ＫＨｚの外部クロック信号（中間信号）に基づいて、周波数３１５ＭＨｚの搬送波信号を生成する回路である。ここで、外部クロック信号は、上記のごとくクロック信号に基づいてマイコン２７がソフトウェア的に生成した信号である。本例では、上記のように構成したＲＦ送信ＩＣ２８が、上記無線送信回路２１を構成している。
【００６０】
電源供給回路２５は、光を電池に変換する発電手段としての太陽電池２５０と、この太陽電池で発電した電力を蓄える蓄電手段としてのキャパシタ２５１とを含む回路である。電源供給回路２５は、操作スイッチ２２１の操作に応じて、キャパシタ２５１に蓄えた電力をマイコン２７及びＲＦ送信ＩＣ２８に供給する。なお、本例の電源供給回路２５では、太陽電池２５０の下流側に挿入したダイオード２５２により電力供給経路２５５を流れる電流方向を一方向に規制してある。
【００６１】
なお、太陽電池２５０の発電能力を高く確保できる場合には、キャパシタ２５１を省略して電源供給回路２５を構成することも可能である。さらに、本例の太陽電池２５０に代えて、熱を電力に変換するペルチェ素子や、流体が有するエネルギーを電力に変換する水車や、コイルと磁石との相対運動を電力に変換する発電機構や、圧電素子の変形により発電する機構等を発電手段として採用することも可能である。
【００６２】
次に、上記受信手段３１は、図２及び図４に示すごとく、無線リモートスイッチ２から受信した電波に基づいてデジタルの操作信号を復調する手段である。受信手段３１は、無線リモートスイッチ２の送信電波（操作信号）をアンテナ３１８を介して受信する受信回路３１１と、受信電波を復調して操作信号を得る復調回路３１２とを有している。受信手段３１は、復調した操作信号を制御手段３２に入力するように構成してある。なお、無線リモートスイッチ２は、上記のごとく時間的に連続して複数回（本例では５回。）に渡って操作信号を送信するように構成してある。受信手段３１は、操作信号を受信する毎に、受信した操作信号を制御手段３２に随時、入力する。
【００６３】
制御手段３２は、図４に示すごとく、ＲＯＭ、ＲＡＭ（図示略）を内蔵した１チップマイコン３２１と、電磁弁１４（図２参照。）のソレノイド１４３に動作電流を供給する駆動回路３２２とを有している。マイコン３２１は、受信手段３１から操作信号を取り込む毎に、予め記憶するＩＤデータとの一致を判断する。マイコン３２１は、ＩＤデータと一致する操作信号の取り込み回数が予め規定した回数（本例では３回を設定。）に達したとき、所定のＩ／Ｏポート３２１ＰのＨｉ−Ｌｏ状態を交互に切り替える。
【００６４】
駆動回路３２２は、図４に示すごとく、ソレノイド１４３に通電する電流をコントロールする回路である。駆動回路３２２は、マイコン３２１のＩ／Ｏポート３２１ＰがＨｉ状態であるときにソレノイド１４３に通電し、Ｌｏ状態であるときにソレノイド１４３への通電を停止するように構成してある。なお、図２の電磁弁１４は、上記のごとくソレノイド１４３への通電時に流路を開け、非通電時に流路を閉じるように構成してある。
【００６５】
次に、以上のように構成した給水制御システム１の動作について、図５及び図６を用いて説明する。図５は、無線リモートスイッチ２による操作信号の送信処理の流れを示している。図６は、受信手段３１が操作信号を受信し、制御手段３２が制御信号を出力する一連の処理の流れを示している。
【００６６】
まず、図５を用いて無線リモートスイッチ２による操作信号の送信処理の流れを説明する。ここでは、まず、ステップＳ１０１のごとく操作スイッチ２２１の操作を待機する。操作スイッチ２２１が押し込み操作（スイッチ操作）されたとき、ステップＳ１０２及びＳ１０３のごとく、上記通電期間を開始して上記操作信号生成回路２３を起動し、操作信号を生成する。そして、ステップＳ１０４及びＳ１０５のごとく、振幅変調により操作信号を搬送波信号に重畳して送信する。本例では、ステップＳ１０６とステップＳ１１６との組み合わせにより、操作信号を送信する毎に変数ｎを１ずつ加算し、初期値１の変数ｎの値が５に到達するまで操作信号を反復的に送信する。すなわち、本例では、操作スイッチ２２１の１回の操作につき、操作信号を５回連続的に送信した。そして、操作信号を５回送信した後、ステップＳ１０７のごとく通電期間を終了した。
【００６７】
次に、図６を用いて受信手段３１が操作信号を受信し、制御手段３２が制御信号を出力する一連の処理の流れを説明する。ここでは、まず、ステップＳ２０１のごとく操作信号を重畳した送信電波を受信し、ステップＳ２０２のごとく復調して操作信号を得る。受信した操作信号が予め記憶するＩＤデータと一致するものであるとき（ステップＳ２０３）、ステップＳ２０４のごとく受信回数を表すカウンター変数ｍを１ずつ加算する。
【００６８】
その後、ステップＳ２０５のごとくカウンター変数ｍが３に達したとき、ステップＳ２０６のごとく電磁弁１４を駆動する制御信号を出力する。なお、本例では、ステップＳ２０６を処理する毎に、電磁弁１４を制御するための制御信号を交互に切り替えた。具体的には、ソレノイド１４３（図４参照。）の非通電状態ではステップＳ２０６によりソレノイド１４３への通電を開始し、通電状態ではステップＳ２０６によりソレノイド１４３への通電を停止した。したがって、本例の給水制御システム１では、操作スイッチ２２１を操作する毎に、水栓ヘッド１１の給水状態と止水状態とが交互に切り替えられる。
【００６９】
以上のように、本例の給水制御システム１は、消費電力を抑制し、太陽電池２５０による動作を実現した無線リモートスイッチ２を利用して構成したシステムである。発電手段である太陽電池２５０を電源として採用すれば、電池交換等のメンテナンスの手間をほぼ解消し得る。さらに、電池交換用の交換蓋等を省略できるため、密閉構造を実現し易くなる。それ故、本例のごとく、無線リモートスイッチ２を水栓ヘッド１１に設けた場合にも、防水性を高く確保し易く、水の浸入等により電気的なリーク等の発生を未然に抑制し得る。
【００７０】
なお、太陽電池としては、図７Ａに示すごとく、受光面の向き（法線方向Ｍ）が異なる２枚の平板状の太陽電池２５０を組み合わせることも良い。この場合には、受光面の向きが異なる２枚の太陽電池２５０の組み合わせにより、光の多様な入射角に対応して効率よく発電を行うことができる。さらに、図７Ｂに示すごとく、曲面状の受光面を有する太陽電池２５０を採用することも良い。曲面状の受光面によれば、受光面が局所的に様々な方向を向いているため、受光面の向きを変更して平板状の太陽電池を複数配置するのと同様の上記の作用効果を得ることができる。
【００７１】
さらに、本例の無線リモートスイッチ２を、住宅用のインターホンの呼び鈴スイッチとして利用することもできる。この場合には、インターホンを無線により構成でき、配線の手間を解消できる。
またなお、本例では、操作スイッチ２２１を操作する毎に５回、操作信号を送信したが、この送信回数は、１回〜数回の範囲で適宜変更することができる。
【００７２】
（実施例２）
本例は、実施例１の無線リモートスイッチを基にして、放電手段２６を追加した例である。この内容について、図８及び図９を用いて説明する。
本例の無線リモートスイッチ２のマイコン２７は、いわゆるパワーオンリセットのためのリセット端子２７８を有するものである。マイコン２７は、リセット端子２７８の印加電圧が低電位状態から高電位状態に移行するに応じて初期化でき、動作可能な状態を設定し得る。リセット端子２７８に対しては、スイッチ操作の終了に応じてリセット端子２７８の印加電圧を低電位状態に移行させるための放電手段２６を電気的に接続してある。図８における放電手段２６は、２接点型のスイッチ手段２２を利用して構成した手段である。図９における放電手段２６は、トランジスタ２６１を利用して構成したディスチャージ回路よりなる手段である。
【００７３】
まず、図８の放電手段２６について説明する。同図中のスイッチ手段２２は、押し込み操作時にスイッチ端子２２５Ａとスイッチ端子２２５Ｂとを電気的に短絡する一方、非操作時にスイッチ端子２２６Ａとスイッチ端子２２６Ｂとを電気的に短絡するように構成したものである。このスイッチ手段２２によれば、上記のごとく押し込み操作に応じてスイッチ端子２２５Ａとスイッチ端子２２５Ｂとを短絡し、電源供給回路２５からマイコン２７及びＲＦ通信ＩＣ２８に向けて電源供給できる。このとき、スイッチ端子２２５Ｂは、マイコン２７のリセット端子２７８と電気的に接続される。それ故、スイッチ手段２２の押し込み操作により、リセット端子２７８の印加電圧が低電位状態から高電位状態に移行する。
【００７４】
その後、図８におけるスイッチ手段２２の操作を終了すると、上記のごとくスイッチ端子２２６Ａとスイッチ端子２２６Ｂとが短絡する。ここで、スイッチ端子２２６Ｂは、マイコン２７のリセット端子２７８と電気的に接続されている。また、スイッチ端子２２６Ａは、グランドに接続されている。それ故、スイッチ手段２２の操作を終了すれば、リセット端子２７８とグランドとが電気的に接続され、リセット端子２７８に電気的に接続された周辺回路をなすコンデンサ等の蓄電素子の電荷を放電できる。
【００７５】
したがって、同図の無線リモートスイッチ２では、スイッチ手段２２の操作終了に応じて、速やかにリセット端子２７８の印加電圧を低電位状態に戻すことが可能になる。それ故、無線リモートスイッチ２によれば、スイッチ手段２２を操作終了した直後に、スイッチ手段２２を再操作した場合にも、即座にマイコン２７を初期化して上記操作信号を送信し得る。
【００７６】
次に、図９の放電手段２６について説明する。同図に示す無線リモートスイッチ２では、マイコン２７のリセット端子２７８に対して、放電手段２６を構成するディスチャージ回路を接続してある。このディスチャージ回路は、ｐｎｐ型のトランジスタ２６１を含む回路である。このトランジスタ２６１では、エミッタ端子２６１Ｅがマイコン２７のリセット端子２７８に接続され、ベース端子２６１Ｂがスイッチ手段２２に接続され、コレクタ端子２６１Ｃがグランドに接続されている。
【００７７】
この放電手段２６は、以下のように動作する。すなわち、まず、スイッチ手段２２を操作すると、マイコン２７の電源端子２７７及びリセット端子２７８の印加電圧が高電位状態に設定され、マイコン２７を初期化できる。このとき、ディスチャージ回路を構成するトランジスタ２６１では、ベース端子２６１Ｂ及びエミッタ端子２６１Ｅとが等電位となる。そのため、リセット端子２７８側とコレクタ端子２６１Ｃ側との間の通電が規制された状態が得られる。
【００７８】
その後、図９の無線リモートスイッチ２のスイッチ手段２２の操作を終了すると、該スイッチ手段２２に接続したベース端子２６１Ｂの電位が低下する。一方、リセット端子２７８の電位は、マイコン２７の周辺回路中のコンデンサ等の蓄電素子に蓄えられた電荷により、操作終了直後のしばらくの間、高電位状態がそのまま維持される。そうすると、トランジスタ２６１のエミッタ端子２６１Ｅとベース端子２６１Ｂとの間に電位差が生じ、両端子間に電流が発生する。そうすると、トランジスタ２６１において、エミッタ端子２６１Ｅとコレクタ端子２６１Ｃとの間の通電状態がオンに設定される。
【００７９】
このようにエミッタ端子２６１Ｅとコレクタ端子２６１Ｃとの間の通電状態をオンに設定できれば、リセット端子２７８側に蓄えられた電荷を、コレクタ端子２６１Ｃを介してグランドに瞬間的に放電できる。このような放電は、上記スイッチ手段２２の操作終了時の一瞬の間に完了し得る。それ故、同図の無線リモートスイッチ２によれば、図８のものと同様、スイッチ手段２２の操作終了に応じて、リセット端子２７８の印加電圧を瞬時に低電圧状態に移行させ得る。そしてそれ故、図９の無線リモートスイッチ２では、スイッチ手段２２の反復的な操作に追従してマイコン２７を確実性高く動作させ得る。
なお、その他の構成及び作用効果については、実施例１と同様である。
【００８０】
（実施例３）
本例は、実施例１の住宅設備操作システム（給水制御システム）を基にして、操作対象をロック機構４０に変更した例である。この内容について、図１０〜図１３を用いて説明する。
本例は、図１０及び図１１に示すごとく、例えば、キッチンや洗面所の収納キャビネットである吊戸棚４にロック機構４０を適用した住宅設備操作システムの例である。この吊戸棚４は、扉４３が閉まった状態を確実性高く保持できるよう、ロック機構４０を設けたものである。
【００８１】
吊戸棚４は、図１０及び図１１に示すごとく、使用者に面して位置する略矩形状の開口部４００を介して開口し得る収納空間を有している。吊戸棚４は、開口部４００の水平方向の両端を中心として回動する、いわゆる観音開きの一対の扉４３を有している。各扉４３は、開口部の中央側に当たる位置に、使用者が把持するためのハンドル４３１を有している。使用者は、ハンドル４３１を手前に操作することで、扉４３を回動でき、上記収納空間へのアクセスが可能となる。
【００８２】
扉４３は、図１１に示すごとく、その裏面側に、ロック機構４０を構成するロックプレート４３３を有している。ロックプレート４３３は、後述するロックピン４１１を収容する貫通孔４３５を設けた略平板状の金属製の部材である。ロックプレート４３３は、扉４３が閉まった状態において、吊戸棚４の底板４４の下面に沿うよう、扉４３の裏面に固定してある。
【００８３】
ロック機構４０を構成する電子ロックユニット４１は、軸方向に進退するロックピン４１１を有している。電子ロックユニット４１は、図示しないソレノイド駆動機構により、ロックピン４１１を軸方向に進退させる。電子ロックユニット４１は、吊戸棚４の底板４４をロックピン４１１が貫通する状態で、収納空間の底面４４０に配置してある。本例では、底面４４０のうち、扉４３の回動中心から遠い側に電子ロックユニット４１を配置してある。なお、図１１では、電子ロックユニット４１を制御する制御手段及び、制御手段と電気的に接続した受信手段を省略して図示してある。
【００８４】
本例のロック機構４０では、図１０及び図１１に示すごとく、電子ロックユニット４１のロックピン４１１を前進させてロックプレート４３３の貫通孔４３５に係合させることで、扉４３のロック状態を確実性高く保持できる。一方、ロック機構４０によれば、貫通孔４３５からロックピン４１１を引き抜くように後退させることで、扉４３の回動を可能にできる。
【００８５】
扉４３は、図１０〜図１２に示すごとく、ハンドル４３１の下側に当たる表面に、ロック機構４０を制御するための無線リモートスイッチ２を埋設してなる。本例の無線リモートスイッチ２は、略矩形状の表面形状を呈するブロック状の筐体２９０に、電子基板２９３等を収容したものである。筐体２９０は、凹状を呈するケース部２９１と、蓋状を呈すると共に扉４３の表面に露出するカバー部２９２とを組み合わせたものである。
【００８６】
カバー部２９２は、透明な樹脂よりなり、その内周面にハーフミラー処理を施したものである。ここで、ハーフミラー処理とは、外側から内側に向かう光の透過率を確保する一方、内側から外側に向かう逆向きの光の反射率を高く確保する表面処理である。また、樹脂よりなるケース部２９１は、その内周面に、光の反射率を高めるための表面処理を施したものである。
【００８７】
図１２に示すごとく、ケース部２９１とカバー部２９２とを組み合わせた筐体２９０の内部には、スイッチ手段２２をなす赤外線センサ２２２等の電子部品を実装した電子基板２９３と、発電手段としての太陽電池２５０と、送信用のアンテナ２１８とを収容してある。電子基板２９３は、マイコン２７、ＲＦ送信ＩＣ２８、赤外線センサ２２２及びキャパシタ２５１等を実装したものである。太陽電池２５０としては、法線方向Ｍが異なる２枚の太陽電池を保持してある。電線よりなるアンテナ２１８は、筐体２９０の内部空間をほぼ１周するよう、底面の外周に配設してある。本例の無線リモートスイッチ２では、太陽電池２５０の背面側において、太陽電池２５０の外周を取り巻くようにアンテナ２１８をなす電線を配設してある。
【００８８】
本例の赤外線センサ２２２は、図１２に示すごとく、カバー部２９２を介して受光した赤外線の絶対量に応じた検知電圧を出力する量子型のものである。この赤外線センサ２２２によれば、ハンドル４３１を操作しようとする使用者の腕や手から放出される赤外線の量に応じた検知電圧を出力し得る。なお、赤外線センサとしては、焦電型等の一般的なものを採用することもできる。さらに、発電センサであっても良い。
【００８９】
本例のシステムでは、図１０〜図１２に示すごとく、扉４３を開閉しようとハンドル４３１を操作する使用者の手（図示略）を赤外線センサ２２２が検知したとき、無線リモートスイッチ２が操作信号を送信する。そして、図示しない受信手段を用いて操作信号を受信できたとき、制御手段を介してロックピン４１１を後退させ、ロック機構４０によるロック状態を解除する。
【００９０】
本例の無線リモートスイッチ２では、ハーフミラー処理を施したカバー部２９２を介して外部光が太陽電池２５０に供給される。そして、太陽電池２５０に直接、照射されなかった光や、太陽電池２５０の表面で反射した光等は、ケース部２９１あるいはカバー部２９２の内周面で反射を繰り返し、再度、太陽電池２５０に供給されることになる。
【００９１】
それ故、本例の無線リモートスイッチ２では、カバー部２９２を介して受光した光エネルギーを無駄なく活用でき、太陽電池２５０の発電効率を高めることができる。さらに、本例の無線リモートスイッチ２は、法線方向Ｍの異なる２枚の太陽電池２５０を有している。法線方向Ｍの異なる２枚の太陽電池２５０の組み合わせによれば、様々な照射方向からの光を効率良く受光でき、発電効率をさらに向上できる。
【００９２】
なお、その他の構成及び作用効果については、実施例１と同様である。
また、複数の吊戸棚４を設け、それぞれのロック機構４０を一つの無線リモートスイッチ２により集中制御することもできる。
さらにまた、図１３に示すごとく、２枚の太陽電池２５０の向きを略一致させることもできる。例えば、天井に照明器具が配設されている場合等では、２枚の太陽電池２５０の法線方向Ｍを天井に向かう方向に設定すれば、太陽電池２５０の発電効率を高めることができる。
【００９３】
なお、本例のロック機構４０は、吊戸棚４のロック機構のほか、住宅のドア等の防犯用のロック機構に適用することもできる。この場合には、ドアに埋設した無線リモートスイッチ２について、赤外線センサ２２２に代えて指紋照合センサ等を組み込むことも好ましい。あるいは、本例のロック機構４０を防犯用のロック機構に適用する際には、無線リモートスイッチ２を携帯型として構成することも良い。
【００９４】
また、本例のロック機構４０に代えて、扉４３の開閉機構を設けることも良い。この場合には、赤外線センサ２２２に手をかざすことで、扉４３の開閉を行うことができる。さらに、収納空間に収容した収納トレイを昇降する昇降機構を制御することも良い。この場合には、赤外線センサ２２２に手をかざすことで、収納トレイを昇降させることができる。さらに、本例の無線リモートスイッチ２を換気扇のスイッチとして利用することもできる。
【００９５】
（実施例４）
本例は、実施例１あるいは実施例２の無線リモートスイッチを利用したシステムリモコンユニットに関する例である。この内容について、図１４〜図１７を用いて説明する。
本例のシステムリモコンユニット５は、ブロック型の無線リモートスイッチ２と、無線リモートスイッチ２を保持する筐体５０とを含むものである。
【００９６】
筐体５０は、図１４に示すごとく、最大４個までの無線リモートスイッチ２を１列に収容するための凹溝状の収容部５００を２列設けてなる。溝形状をなすように相互に対面する収容部５００の側面には、溝方向に沿って延びる凸状のレール５０１を形成してある。
ブロック型の本例の無線リモートスイッチ２は、厚さ方向に薄い略直方体形状のスイッチである。無線リモートスイッチ２は、その表面に、スイッチ手段２２をなす操作スイッチ２２１と、太陽電池２５０の受光面を配置してなる。無線リモートスイッチ２は、収容部５００の側面に対面する側面に、レール５０１を収容する凹状の溝部２３１を有している。本例のシステムリモコンユニット５では、溝部２３１にレール５０１を収容した状態において、無線リモートスイッチ２が筐体５０の表面と略面一をなしている。
【００９７】
無線リモートスイッチ２は、同図に示すごとく、溝部２３１にレール５０１を収容した状態で収容部５００の溝方向に沿って進退し得る。無線リモートスイッチ２を収容部５００内で順次、前進させていくことで、最大４個までの複数の無線リモートスイッチ２を各収容部５００に配置することができる。ここで、筐体５０に保持する無線リモートスイッチ２としては、ＩＤデータが異なるものの組み合わせを選択するのが良い。さらに、保持する無線リモートスイッチ２が少ない場合には、スペーサとしてのダミースイッチ５０２を収容することも良い。さらに、収容部５００の開口側の端部は、無線リモートスイッチ２等と断面形状が略同一の封止ブロック５０３を固定することが良い。
【００９８】
本例のシステムリモコンユニット５によれば、操作する対象に応じて最大８個の無線リモートスイッチ２の組み合わせを変更することで、様々な操作対象に対応し得るという高い汎用性を実現し得る。さらに、オプション機器の追加購入等による将来的な仕様変更に対しても、臨機応変に対応し得る。図１５は、本例のシステムリモコンユニット５を、トイレ便器５５を配設したトイレの壁面に配置した例である。
【００９９】
なお、その他の構成及び作用効果については、実施例１あるいは実施例２と同様である。
さらに、図１６及び図１７に示すごとく、各無線リモートスイッチ２について操作スイッチ２２１を３つずつ設けることも良い。この場合には、３つの操作スイッチ２２１のオンオフの組み合わせよりなる３ビットデータをマイコン２７に取り込むことが良い。この無線リモートスイッチ２によれば、マイコン２７に取り込む３ビットデータに応じて少なくとも３種類の操作信号を送信することが可能になる。なお、３個の操作スイッチ２２１に基づけば、各操作スイッチ２２１のオンオフの組み合わせにより、操作スイッチ２２１の個数（３種類）を超える複数種類の操作信号を出力することも可能である。さらになお、操作スイッチ２２１の配設個数としては、２個、４個、５個等、様々な個数を設定することもできる。
【図面の簡単な説明】
【０１００】
【図１】実施例１における、無線リモートスイッチのシステム構成を示すブロック図。
【図２】実施例１における、住宅設備操作システムを構成する水栓装置を示す正面図。
【図３】実施例１における、水栓ヘッドの構造を示す斜視図。
【図４】実施例１における、受信手段及び制御手段のシステム構成を示すブロック図。
【図５】実施例１における、無線リモートスイッチによる操作信号の送信処理の流れを示すフロー図。
【図６】実施例１における、操作信号を受信して制御信号を出力する一連の処理の流れを示すフロー図。
【図７】実施例１における、その他の太陽電池の組込み例を示す斜視図。
【図８】実施例２における、第１の無線リモートスイッチのシステム構成を示すブロック図。
【図９】実施例２における、第２の無線リモートスイッチのシステム構成を示すブロック図。
【図１０】実施例３における、住宅設備操作システムを構成する吊戸棚を示す正面図。
【図１１】実施例３における、吊戸棚の断面構造を示す断面図。
【図１２】実施例３における、無線リモートスイッチの断面構造を示す断面図。
【図１３】実施例３における、その他の無線リモートスイッチの断面構造を示す断面図。
【図１４】実施例４における、システムリモコンユニットを示す斜視図。
【図１５】実施例４における、システムリモコンユニットの適用例を示す説明図。
【図１６】実施例４における、その他の無線リモートスイッチを示す斜視図。
【図１７】実施例４における、その他の無線リモートスイッチのシステム構成を示すブロック図。
【符号の説明】
【０１０１】
１  住宅設備システム
１０  水栓装置
１１  水栓ヘッド
１１０  吐水口
１２  シンク
１２０  カウンター面
１３  給水管
１４  弁装置（電磁弁）
２  無線リモートスイッチ
２１  無線送信回路
２２  スイッチ手段
２２１  操作スイッチ
２２２  赤外線センサ
２３  操作信号生成回路
２４  クロック信号生成回路
２５  電源供給回路
２５０  太陽電池
２５１  キャパシタ
２７  マイコン
２８  ＲＦ通信ＩＣ
４０  ロック機構
４１  電子ロックユニット
５  システムリモコンユニット
５０  筐体
５００  収容部
【図１】
2008011279.tif 000003
【図２】
2008011279.tif 000004
【図３】
2008011279.tif 000005
【図４】
2008011279.tif 000006
【図５】
2008011279.tif 000007
【図６】
2008011279.tif 000008
【図７】
2008011279.tif 000009
【図８】
2008011279.tif 000010
【図９】
2008011279.tif 000011
【図１０】
2008011279.tif 000012
【図１１】
2008011279.tif 000013
【図１２】
2008011279.tif 000014
【図１３】
2008011279.tif 000015
【図１４】
2008011279.tif 000016
【図１５】
2008011279.tif 000017
【図１６】
2008011279.tif 000018
【図１７】
2008011279.tif 000019